(57)【要約】【課題】端末装置でゲームを実行している途中に、当該ゲームの攻略サイトの当該ゲームの局面に適合するページを、ゲームを中断することなく直ちに閲覧する。【解決手段】ユーザの指示により端末装置１００が現在表示しているゲームの画面をキャプチャーし、キャプチャーした画像の画像データから特徴点を抽出し、サーバー装置２００に送出する。サーバー装置２００は、画像データの特徴点を抽出し、特徴点からゲームの局面を特定してこの局面に対応するゲーム攻略サイトの特定された局面に対応するページのＵＲＬを取得して端末装置１００に送出する。端末装置１００は、取得したＵＲＬから閲覧データを取得し、この閲覧データを端末装置に表示させる。この閲覧データの取得中にゲームは中断しておらず、ゲーム攻略サイトの閲覧終了後、ゲームを続行できる。【選択図】図４
2018037029.tif 000002
【特許請求の範囲】
【請求項１】
端末装置が実行中のアプリケーションから取得した画像データに基づいてインターネット上の特定のウェブサイトの特定ページを前記端末装置に表示するウェブサイト検索表示システムであって、
使用者の指示により前記端末装置が現在表示している画面をキャプチャーするキャプチャー手段と、
前記キャプチャーした画像の画像データから特徴点を抽出する特徴点抽出手段と、
前記特徴点から前記アプリケーションの局面を特定する局面特定手段と、
前記アプリケーションの各局面に対応する特定のウェブサイトの特定のページのＵＲＬについてのデータを格納したデータ格納手段と、
特定された前記局面に対応するウェブサイトのページのＵＲＬを前記データ格納手段から取得するＵＲＬ取得手段と、
取得した前記ページのＵＲＬから閲覧データを取得する閲覧データ取得手段と、
取得した前記ＵＲＬの閲覧データを前記端末装置に表示させる閲覧データ表示手段と、
を備えることを特徴とするウェブサイト検索表示システム。
【請求項２】
前記端末装置は、前記キャプチャー手段にキャプチャーの実行を指示するキャプチャー指示手段を備えると共に、
前記キャプチャー手段、前記閲覧データ取得手段及び前記閲覧データ表示手段及び前記キャプチャー指示手段の動作中において、実行している前記アプリケーションを継続して動作可能に構成されていることを特徴とする請求項１に記載のウェブサイト検索表示システム。
【請求項３】
前記端末装置との通信が可能なサーバー装置を備え、
前記端末装置が、前記キャプチャー手段、前記閲覧データ取得手段、及び前記閲覧データ表示手段を備え、
前記サーバー装置が、前記特徴点抽出手段、前記局面特定手段、前記データ格納手段、及び前記ＵＲＬ取得手段を備えることを特徴とする請求項１又は請求項２に記載のウェブサイト検索表示システム。
【請求項４】
前記端末装置との通信が可能なサーバー装置を備え、
前記端末装置が、前記キャプチャー手段、前記特徴点抽出手段、前記局面特定手段、前記閲覧データ取得手段、前記ＵＲＬ取得手段、及び前記閲覧データ表示手段を備え、
前記サーバー装置が、前記データ格納手段を備えることを特徴とする請求項１又は請求項２に記載のウェブサイト検索表示システム。
【請求項５】
前記端末装置が、前記キャプチャー手段、前記特徴点抽出手段、前記局面特定手段、前記データ格納手段、前記ＵＲＬ取得手段、前記閲覧データ取得手段、及び前記閲覧データ表示手段を備えることを特徴とする請求項１又は請求項２に記載のウェブサイト検索表示システム。
【請求項６】
端末装置が実行中のアプリケーションから取得した画像データに基づいてインターネット上の特定のウェブサイトの特定ページを前記端末装置に表示するウェブサイト検索表示方法であって、
使用者の指示により前記端末装置が現在表示している画面をキャプチャーするステップと、
前記キャプチャーした画面の画像データから特徴点を抽出するステップと、
前記端末装置が実行するアプリケーションの画像の特徴点から前記アプリケーションの局面を特定するステップと、
特定された前記局面に対応する特定のウェブサイトの特定のページのＵＲＬを取得するステップと、
取得した前記ＵＲＬからの閲覧データを取得するステップと、
取得した前記閲覧データを前記端末装置に表示させるステップと、
を備えることを特徴とするウェブサイト検索表示方法。
【請求項７】
端末装置が実行中のアプリケーションから取得した画像データを受信して、インターネット上の特定のウェブサイトの特定ページを前記端末装置に表示するウェブサイトの情報を前記端末装置に送出するサーバー装置であって、
前記端末装置からの画像データを受信する受信手段と、
前記画像データから特徴点を抽出する特徴点抽出手段と、
前記端末装置が実行するアプリケーションの画像の特徴点から前記アプリケーションの特定の局面を特定する局面特定手段と、
特定された前記局面に対応するウェブサイトの特定のページのＵＲＬについてのデータを格納したデータ格納手段と、
抽出した前記特徴点に対応付けられたインターネット上のサイトのＵＲＬを前記データ格納手段から取得するＵＲＬ取得手段と、
取得した前記ＵＲＬを前記端末装置に送出する送信手段と、を備えることを特徴とするサーバー装置。
【請求項８】
実行中のアプリケーションから取得した画像データをサーバー装置に送出し、前記サーバー装置からの送出されたインターネット上の特定のウェブサイトの特定ページを前記端末装置に表示する端末装置であって、
使用者の指示により前記端末装置が現在表示している画面をキャプチャーするキャプチャー手段と、
前記キャプチャー手段にキャプチャーを指示させるキャプチャー指示手段と、
前記キャプチャーされた画像データを前記サーバー装置に送出する送信手段と、
前記サーバー装置から送出された特定のウェブサイトの特定ページのＵＲＬを受信する受信手段と、
前記ＵＲＬからの閲覧データを取得する閲覧データ取得手段と、
取得した前記閲覧データを前記端末装置に表示させる閲覧データ表示手段と、
を備えると共に、
前記アプリケーションの実行中に、前記キャプチャー手段、前記キャプチャー手段、前記送信手段、前記受信手段、閲覧データ取得手段、及び前記閲覧データ表示手段を実行している状態で前記アプリケーションを継続して動作可能に構成されていることを特徴とする端末装置。
【請求項９】
端末装置が実行中のアプリケーションから取得した画像データに基づいてインターネット上の特定のウェブサイトの特定ページを前記端末装置に表示するウェブサイト検索表示システムのコンピューターに実行させるためのプログラムであって、
外部からの指示により前記端末装置が現在表示している画面をキャプチャーするステップと、
前記キャプチャーした画面の画像データから特徴点を抽出するステップと、
前記端末装置が実行している前記アプリケーションの画像の特徴点から前記アプリケーションの特定の局面を特定するステップと、
抽出した特徴点に対応付けられたインターネット上のサイトのＵＲＬを特定のウェブサイトの特定のページのＵＲＬから取得するステップと、
取得した前記ページのＵＲＬから閲覧データを取得するステップと、
取得した前記ＵＲＬの閲覧データを前記端末装置に表示させるステップと、
を備えることを特徴とするプログラム。
【請求項１０】
端末装置が実行中のアプリケーションから取得した画像データを受信して、インターネット上の特定のウェブサイトの特定ページを前記端末装置に表示するウェブサイトの情報を前記端末装置に送出するサーバー装置のコンピューターに実行させるためのプログラムであって、
前記端末装置からの画像データを受信するステップと、
前記画像データから特徴点を抽出するステップと、
前記端末装置が実行するアプリケーションの画像の特徴点から前記アプリケーションの特定の局面を特定するステップと、
抽出した特徴点に対応付けられたインターネット上のサイトのＵＲＬを取得するステップと、
前記取得したＵＲＬを前記端末装置に送出するステップと、
を備えることを特徴とするプログラム。
【請求項１１】
実行中のアプリケーションから取得した画像データをサーバー装置に送出し、前記サーバー装置からの送出されたインターネット上の特定のウェブサイトの特定ページを前記端末装置に表示し、前記アプリケーションの実行中に、他の処理を実行している状態であっても前記アプリケーションを継続して動作可能な端末装置のコンピューターに実行させるためのプログラムであって、
ユーザの指定により前記端末装置が現在表示している画面をキャプチャーするステップと、
前記キャプチャーされた画像データを前記サーバー装置に送出するステップと、
前記サーバー装置から送出された特定のウェブサイトの特定ページのＵＲＬを受信するステップと、
前記ＵＲＬからの閲覧データを取得するステップと、
取得した前記ＵＲＬの閲覧データを端末装置に表示させるステップと、
を備えることを特徴とするプログラム。
【発明の詳細な説明】
【技術分野】
【０００１】
本発明は、ウェブサイト検索表示システム、ウェブサイト検索表示方法、端末装置、サーバー、及びプログラムに関する。
【背景技術】
【０００２】
現在スマートフォン端末装置やタブレット端末装置（以下総称して端末装置）では、ユーザは、端末装置にゲームアプリケーションをインストールし、このゲームアプリケーションを実行することによりゲームを楽しむことができる。このような状況において、ゲームアプリケーションはゲームアプリケーション開発会社で開発され、ユーザは、インターネット上で提供されている「ＧｏｏｇＰｌａｙ（登録商標）」や「Ａｐｐ  Ｓｔｏｒｅ（登録商標）」等のアプリケーション供給サイトからゲームアプリケーションを入手して端末装置にインストールする。
【０００３】
近年、ゲームの複雑化や、複数のユーザが参加して競い合うようなゲームの普及により、ユーザ自身の知識やスキルだけではゲームをクリアすることが困難になっている。これに対応して、インターネット上には、各ゲームに対応してゲーム攻略法を教示するゲーム攻略サイトが存在する。ユーザはこのゲーム攻略サイトにアクセスすることにより有利にゲームをプレイすることができる。このゲーム攻略サイトは、ゲーム開発会社、アプリケーション供給会社とは異なる運営会社が提供している。
【０００４】
ここで、ゲーム攻略サイトの運営会社は、ゲーム攻略サイトに広告を掲載し、広告主から広告料を得ることで収益を得ている。一例として、ゲーム攻略サイトにアクセスしたユーザの端末装置（スマートフォン、タブレット型端末等）に広告が表示される毎に課金される広告料（クリック数に応じた広告料）が収益の源泉となる。
【０００５】
以上のように、アプリケーション開発会社は、ゲームアプリケーション販売のため、アプリケーション供給会社にゲームアプリケーションのデータを格納させている。ユーザは、ゲームアプリケーションを入手するため、アプリケーション供給会社のサイトにアクセスして、ゲームアプリケーションを有料、もしくは無料で入手する。そして、アプリケーション供給会社から端末装置にゲームアプリケーションのデータを受信して、端末装置にインストールする。これによってユーザはそのゲームをプレイすることができる。
【０００６】
一方、ゲーム攻略サイトの運営会社は、ゲームアプリケーションの攻略方法を教示するゲーム攻略サイトをインターネット上に公開している。このゲーム攻略サイトでは、ゲームの各局面における攻略方法を教示する文章や画面をユーザの端末装置に表示できる。このゲーム攻略サイトの閲覧は、端末装置にインストールされているウェブブラウザーソフトを用いて行われる。
【０００７】
ユーザがゲームの途中でゲーム攻略サイトを閲覧したいとき、ユーザはウェブブラウザーでインターネット上のゲーム攻略サイトにアクセスし、現在の局面に適合する攻略方法を探し出して閲覧する。この際、ゲーム攻略サイトの運営者はゲーム攻略サイトに広告を掲載して広告主に課金し収益を得ることができる。
【０００８】
このように端末装置から所望のサイトの情報を取得するには、端末装置の画面からゲームがどの局面にあるかを判断し、ゲーム攻略サイトから当該局面に合致する情報を取得する。このため、ユーザは、端末装置でウェブブラウザーを起動して、ゲーム攻略サイトにアクセスして通常は最初にゲーム攻略サイトのトップページを閲覧する。そして、ユーザは、現在プレイしているゲームの局面の攻略方法を掲載するページを探し出し、そのページにアクセスする。このため、ユーザは、該当するページを見つけるための手聞がかかるばかりか、プレイしているゲームを中断しなければならない。
【０００９】
端末装置の表示画面からインターネット上のサイトを検索する技術として、特許文献１には、インターネット接続機能及び電子メール送受信機能を有するカメラ付き携帯電話機にて商品又はサービスに関する画像を撮影し、Ｗｅｂサイト画像検索データベースを有するＷｅｂサイト画像検索サービス提供サーバーのメールアドレスへ送信し、Ｗｅｂサイト画像検索サービス提供サーバーは、受信した画像から特徴量を抽出し、データベースに格納されたＷｅｂサイトの特徴量と比較して一定値以上の類似度を有するＷｅｂサイトを検索し、その検索結果のＷｅｂサイトのＵＲＬをカメラ付き携帯電話機のメールアドレスに返信し、カメラ付き携帯電話機は受信したＷｅｂサイトのＵＲＬにアクセスして、ＷｅｂサーバーのＷｅｂ情報を表示するものが記載されている。
【先行技術文献】
【特許文献】
【００１０】
【特許文献１】特開２００３−２７１６５０号公報
【発明の概要】
【発明が解決しようとする課題】
【００１１】
しかしながら、特許文献１に記載の技術は、メールを使用して画像データを送信し、その画像に対応するウェブサイトのＵＲＬをメールで受信するものであり、ゲームをプレイしている途中にこのような動作を行うと、ゲームの進行を中断させてしまう。また、プレイ中のゲームに関するゲーム攻略サイトには接続できるが、接続した後にプレイ中の局面のページを探さなければならない、という問題は解決されない。
【００１２】
本発明は、上述した課題に鑑みてなされたものであり、端末装置でアプリケーションを実行している途中に、当該アプリケーションに適合するサイトの当該アプリケーションの局面に適合するページを、アプリケーションを中断することなく直ちに閲覧できるウェブサイト検索表示システム、ウェブサイト検索表示方法、端末装置、サーバー、及びプログラムを提供することを目的とする。
【課題を解決するための手段】
【００１３】
前記課題を解決する請求項１に記載の発明は、端末装置が実行中のアプリケーションから取得した画像データに基づいてインターネット上の特定のウェブサイトの特定ページを前記端末装置に表示するウェブサイト検索表示システムであって、使用者の指示により前記端末装置が現在表示している画面をキャプチャーするキャプチャー手段と、前記キャプチャーした画像の画像データから特徴点を抽出する特徴点抽出手段と、前記特徴点から前記アプリケーションの局面を特定する局面特定手段と、前記アプリケーションの各局面に対応する特定のウェブサイトの特定のページのＵＲＬについてのデータを格納したデータ格納手段と、特定された前記局面に対応するウェブサイトのページのＵＲＬを前記データ格納手段から取得するＵＲＬ取得手段と、取得した前記ページのＵＲＬから閲覧データを取得する閲覧データ取得手段と、取得した前記ＵＲＬの閲覧データを前記端末装置に表示させる閲覧データ表示手段と、を備えることを特徴とする。
本発明によれば、キャプチャー手段が使用者の指示により前記端末装置が現在表示している画面をキャプチャーし、特徴点抽出手段がキャプチャーした画面の画像データから特徴点を抽出し、局面特定手段が端末装置の実行しているアプリケーションの画像の特徴点からアプリケーションの特定の局面を特定する。また、ＵＲＬ取得手段が、特定された局面に対応する特定のウェブサイトの特定のページのＵＲＬについてのデータを格納したデータ格納手段から抽出した特徴点に対応付けられたインターネット上のウェブサイトのページのＵＲＬをから取得し、閲覧データ取得手段が取得したページのＵＲＬから閲覧データを取得し、閲覧データ表示手段が取得した前記ＵＲＬの閲覧データを前記端末装置に表示させる。
よって、端末装置に表示されているアプリケーションの局面に適合したインターネット上のウェブサイトのページについてのＵＲＬを取得して、端末装置の表示手段に表示できる。
【００１４】
同じく請求項２に記載の発明は、前記端末装置は、前記キャプチャー手段にキャプチャーの実行を指示するキャプチャー指示手段を備えると共に、前記キャプチャー手段、前記閲覧データ取得手段及び前記閲覧データ表示手段及び前記キャプチャー指示手段の動作中において、実行している前記アプリケーションを継続して動作可能に構成されていることを特徴とする。
本発明によれば、キャプチャー指示手段でキャプチャーの実行を指示でき、キャプチャー手段、閲覧データ取得手段及び閲覧データ表示手段及び前記キャプチャー指示手段の動作中において、実行している前記アプリケーションを継続して動作可能である。
よって、所望の局面でキャプチャー指示手段によりキャプチャーした画像に基づいて局面に対応するページを表示でき、これらの処理を実行中であってもアプリケーションは終了することなく動作している。
【００１５】
同じく請求項３に記載の発明は、前記端末装置との通信が可能なサーバー装置を備え、前記端末装置が、前記キャプチャー手段、前記閲覧データ取得手段、及び前記閲覧データ表示手段を備え、前記サーバー装置が、前記特徴点抽出手段、前記局面特定手段、前記データ格納手段、及び前記ＵＲＬ取得手段を備えることを特徴とする。
本発明によれば、ウェブサイト検索表示システムにおいて、端末装置は、サーバー装置と通信を行い、サーバー装置が備える特徴点抽出手段、局面特定手段、データ格納手段、及びＵＲＬ取得手段により、アプリケーションの局面に対応するページのＵＲＬを取得し、ＵＲＬの閲覧データを表示できる。よって、端末装置が備えるべき機能を増大させる必要がなく、端末装置の構成を簡略なものとできる。
【００１６】
同じく請求項４に記載の発明は、前記端末装置との通信が可能なサーバー装置を備え、前記端末装置が、前記キャプチャー手段、前記特徴点抽出手段、前記局面特定手段、前記閲覧データ取得手段、前記ＵＲＬ取得手段、及び前記閲覧データ表示手段を備え、前記サーバー装置が、前記データ格納手段を備えることを特徴とする。
本発明によれば、ウェブサイト検索表示システムにおいて端末装置は、サーバー装置と通信を行い、端末装置が、キャプチャー手段、閲覧データ取得手段、特徴点抽出手段、前記局面特定手段、ＵＲＬ取得手段及び閲覧データ表示手段を備える。よって、サーバー装置には、データ格納手段だけを備えれば足り、サーバー装置の構成を複雑にする必要がなく、サーバー装置の構成を簡略なものとできる。
【００１７】
同じく請求項５に記載の発明は、前記端末装置が、前記キャプチャー手段、前記特徴点抽出手段、前記局面特定手段、前記データ格納手段、前記ＵＲＬ取得手段、前記閲覧データ取得手段、及び前記閲覧データ表示手段を備えることを特徴とする。
本発明によれば、端末装置だけでウェブサイト検索表示システムを構成できる。よって、サーバー装置を必要としない。
よって、ウェブサイト検索表示システムを端末装置だけで構成できる。
【００１８】
同じく請求項６に記載の発明は、端末装置が実行中のアプリケーションから取得した画像データに基づいてインターネット上の特定のウェブサイトの特定ページを前記端末装置に表示するウェブサイト検索表示方法であって、使用者の指示により前記端末装置が現在表示している画面をキャプチャーするステップと、前記キャプチャーした画面の画像データから特徴点を抽出するステップと、前記端末装置が実行するアプリケーションの画像の特徴点から前記アプリケーションの局面を特定するステップと、特定された前記局面に対応する特定のウェブサイトの特定のページのＵＲＬを取得するステップと、取得した前記ＵＲＬからの閲覧データを取得するステップと、取得した前記閲覧データを前記端末装置に表示させるステップと、を備えることを特徴とする。
本発明によれば、使用者の指示により前記端末装置が現在表示している画面をキャプチャーし、キャプチャーした画面の画像データから特徴点を抽出し端末装置が実行するアプリケーションの画像の特徴点から前記アプリケーションの特定の局面を特定し、特定された局面に対応する特定のウェブサイトの特定のページのＵＲＬについてのデータを取得し、取得したＵＲＬからの閲覧データを取得し、取得した前記閲覧データを端末装置に表示させる。
よって、端末装置に表示されているアプリケーションの局面に適合したインターネット上のウェブサイトのページについてのＵＲＬを自動的に取得して、端末装置の表示手段に表示できる。
【００１９】
同じく請求項７に記載の発明は、端末装置が実行中のアプリケーションから取得した画像データを受信して、インターネット上の特定のウェブサイトの特定ページを前記端末装置に表示するウェブサイトの情報を前記端末装置に送出するサーバー装置であって、前記端末装置からの画像データを受信する受信手段と、前記画像データから特徴点を抽出する特徴点抽出手段と、前記端末装置が実行するアプリケーションの画像の特徴点から前記アプリケーションの特定の局面を特定する局面特定手段と、特定された前記局面に対応するウェブサイトの特定のページのＵＲＬについてのデータを格納したデータ格納手段と、抽出した前記特徴点に対応付けられたインターネット上のサイトのＵＲＬを前記データ格納手段から取得するＵＲＬ取得手段と、取得した前記ＵＲＬを前記端末装置に送出する送信手段と、を備えることを特徴とする。
本発明によれば、サーバー装置は、受信手段で端末装置からの画像データを受信し、特徴点抽出手段で画像データから特徴点を抽出し、局面特定手段で端末装置が実行するアプリケーションの画像の特徴点からアプリケーションの特定の局面を特定する他、ＵＲＬ取得手段特定された前記局面に対応する特定のウェブサイトの特定のページのＵＲＬについてのデータを格納したデータ格納手段を備え、ＵＲＬ取得手段で抽出した特徴点に対応付けられたインターネット上のサイトのＵＲＬを前記データ格納手段から取得し、送信手段で取得したＵＲＬを端末装置に送出する。
よって、サーバー装置は、端末装置から受信した画像データに基づいて端末装置が実行中のアプリケーションの局面に対応したインターネット上のサイトのＵＲＬを端末装置に送信できる。
【００２０】
同じく請求項８に記載の発明は、実行中のアプリケーションから取得した画像データをサーバー装置に送出し、前記サーバー装置からの送出されたインターネット上の特定のウェブサイトの特定ページを前記端末装置に表示する端末装置であって、使用者の指示により前記端末装置が現在表示している画面をキャプチャーするキャプチャー手段と、前記キャプチャー手段にキャプチャーを指示させるキャプチャー指示手段と、前記キャプチャーされた画像データを前記サーバー装置に送出する送信手段と、前記サーバー装置から送出された特定のウェブサイトの特定ページのＵＲＬを受信する受信手段と、前記ＵＲＬからの閲覧データを取得する閲覧データ取得手段と、取得した前記閲覧データを前記端末装置に表示させる閲覧データ表示手段と、を備えると共に、前記アプリケーションの実行中に、前記キャプチャー手段、前記キャプチャー手段、前記送信手段、前記受信手段、閲覧データ取得手段、及び前記閲覧データ表示手段を実行している状態で前記アプリケーションを継続して動作可能に構成されていることを特徴とする。
本発明によれば、端末装置は、閲覧データ表示手段を実行している状態でアプリケーションを継続して動作可能に構成されている他、キャプチャー指示手段で使用者が指示したときキャプチャー手段により端末装置が現在表示している画面をキャプチャーし、送信手段でキャプチャーされた画像データを前記サーバー装置に送出し、受信手段でサーバー装置から送出された特定のウェブサイトの特定ページのＵＲＬを受信し、閲覧データ取得手段でＵＲＬからの閲覧データを取得し、閲覧データ表示手段で取得した閲覧データを端末装置に表示する。
よって、端末装置により、所望の局面でキャプチャー指示手段によりキャプチャーした画像に基づいて局面に対応するページを表示でき、しかもこれらの処理を実行中であってもアプリケーションは終了することなく動作する。
【００２１】
同じく請求項９に記載の発明は、端末装置が実行中のアプリケーションから取得した画像データに基づいてインターネット上の特定のウェブサイトの特定ページを前記端末装置に表示するウェブサイト検索表示システムのコンピューターに実行させるためのプログラムであって、外部からの指示により前記端末装置が現在表示している画面をキャプチャーするステップと、前記キャプチャーした画面の画像データから特徴点を抽出するステップと、前記端末装置が実行している前記アプリケーションの画像の特徴点から前記アプリケーションの特定の局面を特定するステップと、抽出した特徴点に対応付けられたインターネット上のサイトのＵＲＬを特定のウェブサイトの特定のページのＵＲＬを取得するステップと、取得した前記ページのＵＲＬから閲覧データを取得するステップと、取得した前記ＵＲＬの閲覧データを前記端末装置に表示させるステップと、を備えることを特徴とする。
本発明によれば、ウェブサイト検索表示システムのコンピューターは、プログラムを実行することにより、外部からの指示により前記端末装置が現在表示している画面をキャプチャーし、キャプチャーした画面の画像データから特徴点を抽出し、端末装置が実行しているアプリケーションの画像の特徴点からアプリケーションの特定の局面を特定し、抽出した特徴点に対応付けられたインターネット上のサイトのＵＲＬを特定のウェブサイトの特定のページのＵＲＬを取得し、取得したページのＵＲＬから閲覧データを取得して取得したＵＲＬの閲覧データを端末装置に表示させる。
よって、端末装置に表示されているアプリケーションの局面に適合したインターネット上のウェブサイトのページについてのＵＲＬを自動的に取得して、端末装置の表示手段に表示できる。
【００２２】
同じく請求項１０に記載の発明は、端末装置が実行中のアプリケーションから取得した画像データを受信して、インターネット上の特定のウェブサイトの特定ページを前記端末装置に表示するウェブサイトの情報を前記端末装置に送出するサーバー装置のコンピューターに実行させるためのプログラムであって、前記端末装置からの画像データを受信するステップと、前記画像データから特徴点を抽出するステップと、前記端末装置が実行するアプリケーションの画像の特徴点から前記アプリケーションの特定の局面を特定するステップと、抽出した特徴点に対応付けられたインターネット上のサイトのＵＲＬを取得するステップと、前記取得したＵＲＬを前記端末装置に送出するステップと、を備えることを特徴とする。
本発明によれば、サーバー装置のコンピューターは、プログラムを実行することにより、端末装置からの画像データを受信し、画像データから特徴点を抽出し、端末装置が実行するアプリケーションの画像の特徴点から前記アプリケーションの特定の局面を特定し、抽出した特徴点に対応付けられたインターネット上のサイトのＵＲＬを特定のウェブサイトの特定のページのＵＲＬを取得して、取得したＵＲＬを前記端末装置に送出する。
よって、端末装置に表示されているアプリケーションの局面に適合したインターネット上のウェブサイトのページについてのＵＲＬを自動的に取得して、端末装置に送出できる。
【００２３】
同じく請求項１１に記載の発明は、実行中のアプリケーションから取得した画像データをサーバー装置に送出し、前記サーバー装置からの送出されたインターネット上の特定のウェブサイトの特定ページを前記端末装置に表示し、前記アプリケーションの実行中に、他の処理を実行している状態であっても前記アプリケーションを継続して動作可能な端末装置のコンピューターに実行させるためのプログラムであって、ユーザの指定により前記端末装置が現在表示している画面をキャプチャーするステップと、前記キャプチャーされた画像データを前記サーバー装置に送出するステップと、前記サーバー装置から送出された特定のウェブサイトの特定ページのＵＲＬを受信するステップと、前記ＵＲＬからの閲覧データを取得するステップと、取得した前記ＵＲＬの閲覧データを端末装置に表示させるステップと、を備えることを特徴とする。
本発明によれば、アプリケーションの実行中に、他の処理を実行している状態であっても前記アプリケーションを継続して動作可能な端末装置のコンピューターは、プログラムを実行することにより、ユーザの指定により前記端末装置が現在表示している画面をキャプチャーし、キャプチャーされた画像データをサーバー装置に送出し、サーバー装置から送出された特定のウェブサイトの特定ページのＵＲＬを受信し、ＵＲＬからの閲覧データを取得し、取得したＵＲＬの閲覧データを端末装置に表示させる。
よって、端末装置により、所望の局面でキャプチャー指示手段によりキャプチャーした画像に基づいて局面に対応するページを表示できる。
【発明の効果】
【００２４】
本発明に係るウェブサイト検索表示システム、ウェブサイト検索表示方法、端末装置、サーバー装置、及びプログラムによれば、端末装置でアプリケーションを実行している途中に、当該アプリケーションに適合するサイトの当該アプリケーションの局面に適合するページを、アプリケーションを中断することなく直ちに閲覧できる。
【００２５】
即ち、請求項１に記載のウェブサイト検索表示システムによれば、端末装置に表示されているアプリケーションの局面に適合したインターネット上のウェブサイトのページについてのＵＲＬを自動的に取得して、端末装置の表示手段に表示できる。
【００２６】
また、請求項２に記載のウェブサイト検索表示システムによれば、所望の局面でキャプチャー指示手段によりキャプチャーした画像に基づいて局面に対応するページを表示でき、これらの処理を実行中であってもアプリケーションは終了することなく動作する。
【００２７】
また、請求項３に記載のウェブサイト検索表示システムによれば、端末装置が備えるべき機能を増大させる必要がなく、端末装置の構成を簡略なものとできる。
【００２８】
また、請求項４に記載のウェブサイト検索表示システムによれば、サーバー装置には、データ格納手段だけを備えれば足り、サーバー装置の構成を複雑にする必要がなく、サーバー装置の構成を簡略なものとできる。
【００２９】
また、請求項５に記載のウェブサイト検索表示システムによれば、端末装置だけでウェブサイト検索表示システムを構成できる。よって、サーバー装置を必要としない。
【００３０】
また、請求項６に記載のウェブサイト検索表示方法によれば、端末装置に表示されているアプリケーションの局面に適合したインターネット上のウェブサイトのページについてのＵＲＬを自動的に取得して、端末装置の表示手段に表示できる。
【００３１】
また、請求項７に記載のサーバー装置によれば、端末装置から受信した画像データに基づいて端末装置が実行中のアプリケーションの局面に対応したインターネット上のサイトのＵＲＬを端末装置に送信できる。
【００３２】
また、請求項８に記載の端末装置によれば、所望の局面でキャプチャー指示手段によりキャプチャーした画像に基づいて局面に対応するページを表示でき、しかもこれらの処理を実行中であってもアプリケーションは終了することなく動作する。
【００３３】
また、請求項９に記載のプログラムによれば、端末装置に表示されているアプリケーションの局面に適合したインターネット上のウェブサイトのページについてのＵＲＬを自動的に取得して、端末装置の表示手段に表示できる。
【００３４】
また、請求項１０に記載のプログラムによれば、端末装置に表示されているアプリケーションの局面に適合したインターネット上のウェブサイトのページについてのＵＲＬを自動的に取得して、端末装置に送出できる。
【００３５】
そして、請求項１１に記載のプログラムによれば、端末装置により、所望の局面でキャプチャー指示手段によりキャプチャーした画像に基づいて局面に対応するページを表示できる。
【図面の簡単な説明】
【００３６】
【図１】本発明の実施形態に係るウェブサイト検索表示システムの全体構成を示す模式図である。
【図２】同ウェブサイト検索表示システムに使用する端末装置の機能構成を示すブロック図である。
【図３】同ウェブサイト検索表示システムに使用するサーバー装置の構成を示すブロック図である。
【図４】同ウェブサイト検索表示システムの処理の過程を示すものであり、（ａ）は準備処理を示すフローチャート、（ｂ）は攻略サイトの閲覧処理を示すフローチャートである。
【図５】同ウェブサイト検索表示システムの処理を示す模式図である。
【図６】同端末装置におけるゲーム攻略サイト閲覧アプリケーション購入画面を示す模式図である。
【図７】本発明の実施形態に係る端末装置におけるゲーム攻略サイトキャプチャーボタンを表示したゲーム画面を示す模式図である。
【図８】同端末装置においてゲーム中にゲーム攻略サイトを表示した状態を示す模式図である。
【図９】同端末装置での画像の特徴点抽出処理を示すものであり、（ａ）はキャプチャーされた画像データ、（ｂ）は参照される画像データを示す図である。
【発明を実施するための形態】
【００３７】
本発明を実施するための形態に係るウェブサイト検索表示システム、ウェブサイト検索表示方法、端末装置、サーバー装置、及びプログラムについて説明する。本実施形態において、端末装置においてアプリケーションとしてゲームを実行中、ゲームが特定の局面であるとき、端末装置の使用者であるユーザの指示により端末装置で画面をキャプチャーしてサーバー装置に画像データを送信する。次いでサーバー装置が実行中のゲームについてのウェブサイトであるゲーム攻略サイトの当該局面に対応付けられたページにアクセスするためのＵＲＬを取得して端末装置に送出する。そして、端末装置がこのＵＲＬを取得しアクセスして端末装置に必要な攻略画面を表示する。
【００３８】
まず、本発明の実施形態に係るウェブサイト検索表示システムの全体構成について説明する。図１は本発明の実施形態に係るウェブサイト検索表示システムの全体構成を示す模式図である。本発明の実施形態に係るウェブサイト検索表示システム１０は、複数台の端末装置１００−１、１０１０−２、…、１００−ｎとサーバー装置２００とがインターネット等のネットワーク２０で接続されて構成されている。また、サーバー装置２００には、データベース２６０が接続されている。更に、ネットワーク２０には、ゲームアプリケーション供給サイト３１０、ゲーム攻略サイト３２０が接続されている。
【００３９】
本実施形態では、端末装置１００ではユーザがゲームをプレイし、プレイ中の局面において、ゲームの表示画面をキャプチャーして画像データを取得し、この取得した画像データをサーバー装置２００に送出する。サーバー装置２００では、画像データの特徴点を抽出してゲームがどの局面であるかを特定し、この特定された局面における攻略法を記述したゲーム攻略サイトの特定ページのＵＲＬを取得し、端末装置１００に送出する。
【００４０】
端末装置１００は、ＵＲＬを取得すると、このＵＲＬにアクセスして、当該ページの表示データを取得して表示する。ユーザはこのゲーム攻略サイトの表示画面から攻略法を取得して、ゲームに戻り当該局面を打開してゲームを続けることができる。ここで、サーバー装置２００は、特定された局面における攻略法を記述したゲーム攻略サイトの特定ページのＵＲＬをデータベース２６０から取得する。
【００４１】
以下、端末装置１００について説明する。複数台の端末装置１００−１、１００−２、〜、１００−ｎは、構成が同一であるので、以下各端末装置を区別せず説明するときには、単に端末装置１００として説明する。端末装置１００は、例えばスマートフォン、タブレットＰＣ（ｐｅｒｓｏｎａｌ  ｃｏｍｐｕｔｅｒ）等の携帯端末装置である。端末装置１００は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等からなるコンピューターを構成する公知のハードウエア構成を備え、端末装置１００用のアプリケーションソフトとしてインストールされたプログラムを実行することにより実施形態に係るウェブサイト検索表示方法を実行し、端末装置の機能を実現する。端末装置１００は、例えばスマートフォン、タブレットＰＣ等であり、ＡＮＤＲＯＩＤ（登録商標）、ｉＯＳ（登録商標）、ＷＩＮＤＯＷＳ（登録商標）等をＯＳ（Ｏｐｅｒａｔｉｎｇ  Ｓｙｓｔｅｍ）として動作する。
【００４２】
図２は同ウェブサイト検索表示システムに使用する端末装置の機能構成を示すブロック図である。端末装置１００は、制御部１１０、記憶部１２０、入出力部１４０、受信手段をなす送受信部１５０等を備える。制御部１１０はＣＰＵを備えて構成され、記憶部１２０に格納された各種プログラムを実行して端末装置１００全体を制御する。
【００４３】
記憶部１２０は、ＲＯＭ、ＲＡＭ等を備えて構成され、ＯＳ１２１、ゲームアプリケーション１２２、本発明の実施形態に係るプログラムであるゲーム攻略サイト閲覧アプリケーション１３０、その他のアプリケーション１２３等を格納している。ＯＳ１２１としては、上述したＡＮＤＲＯＩＤ（登録商標）、ｉＯＳ（登録商標）、ＷＩＮＤＯＷＳ（登録商標）等を採用することができる。ゲームアプリケーション１２２を実行することにより、ユーザは端末装置１００でゲームをプレイすることができる。ゲームアプリケーション１２２は、上述したゲームアプリケーション供給サイト３１０から入手する。
【００４４】
入出力部１４０には、表示パネル１４１、タッチパネル１４２、スイッチ１４３、スピーカー１４４、マイク１４５、デジタルカメラ１４６等を備えている。制御部１１０がゲームアプリケーション１２２を実行することにより表示パネル１４１にゲーム画面が表示され、タッチパネル１４２を操作することにより、ユーザはゲームをプレイする。
【００４５】
送受信部１５０は、端末装置１００をネットワーク２０に接続する。即ち、送受信部１５０は、公衆通信ネットワーク、無線ＬＡＮを介して端末装置１００をネットワーク２０に接続して、サーバー装置２００、ゲームアプリケーション供給サイト３１０、ゲーム攻略サイト３２０と接続する。
【００４６】
次にゲーム攻略サイト閲覧アプリケーション１３０について説明する。ゲーム攻略サイト閲覧アプリケーション１３０は、キャプチャー手段であるキャプチャー部１３１、キャプチャー指示手段であるキャプチャー指示部１３２、画像データ送信手段である画像データ送信部１３３、ＵＲＬ受信部１３４、閲覧データ取得手段であるウェブビューアー１３５を備える。
【００４７】
キャプチャー部１３１は、外部から操作されるキャプチャー指示部１３２の指示により、ゲームの表示パネル１４１に表示された画像を画像データとして取得する。キャプチャー指示部１３２は、所望の局面でキャプチャー部１３１に画像の取得を指示することができる。キャプチャー指示部１３２は、図８に示すように、表示パネル１４１の表示面にプレイ中のゲーム画面４２０に重畳してキャプチャー指示ボタン４３０を表示する。操作者がキャプチャー指示ボタン４３０をタップすると、キャプチャー部１３１が表示中の画像を取得する。このとき、ゲームは継続して動作可能である。
【００４８】
なお、キャプチャー指示ボタン４３０を表示せずに、キャプチャー指示部１３２として、画像を表示中の表示パネル１４１において操作者が特定のジェスチャーでタッチしたことをタッチパネル１４２で検出してキャプチャー部１３１で画像をキャプチャーできるように構成できる。
【００４９】
画像データ送信部１３３は、キャプチャー部１３１が取得した画像データを現在プレイ中のゲーム名と共に、送受信部１５０、ネットワーク２０を介してサーバー装置２００に送信する。ＵＲＬ受信部１３４は、サーバー装置２００から送信されたウェブサイトのページにアクセス可能なＵＲＬを、送受信部１５０を介して受信する。ウェブビューアー１３５は、受信したＵＲＬにアクセスし、そのページの閲覧データを取得して表示パネル１４１に表示する。この表示は、図７に示すように、例えばプレイ中のゲーム画面４２０内に配置される表示枠４４０に重ねて表示される。なお、ゲーム画面４２０に代えて全面にゲーム攻略サイトの画像を表示することができる。
【００５０】
次にサーバー装置２００について説明する。図３は同ウェブサイト検索表示システムに使用するサーバー装置の構成を示すブロック図である。サーバー装置２００は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等からなる公知の構成を備え、アプリケーションソフトとしてインストールされたプログラムを処理することにより、以下の機能を実現する。
【００５１】
また、サーバー装置２００には、データ格納手段としてデータベース２６０が接続されている。データベース２６０は、ゲームの各局面の画像の特徴点と、ゲーム中の特定された局面に対応する特定のゲーム攻略サイト３２０の特定局面に対応するページのＵＲＬについてのデータを格納している。
【００５２】
即ち、データベース２６０には、ゲームの各局面についての特徴点についてのデータと、特定の局面に対応するゲーム攻略サイト３２０の特定ページに対応するＵＲＬが格納されている。画像データの特徴点に基づいてゲームの局面を特定できる他、この局面に対応するゲーム攻略サイト３２０の特定ＵＲＬを特定できる。このため、特定されたＵＲＬを開くと、特定の局面に対応する攻略方法が表示される。
【００５３】
更に、サーバー装置２００は、制御部２１０、記憶部２２０、送受信部２４０等を備えて構成される。制御部２１０は、ＣＰＵを備えるコンピューターとして公知の構成を備え、記憶部２２０に格納された各種プログラムを実行してサーバー装置２００全体を制御する。
【００５４】
記憶部２２０は、ＲＯＭ、ＲＡＭ等で構成される。記憶部２２０には、ＯＳ２２１、本発明の実施形態に係るプログラムであるＵＲＬ取得プログラム２３０を格納している。ＯＳ２２１として、ＬＩＮＵＸ（登録商標）、Ｗｉｎｄｏｗ（登録商標）等が使用される。
【００５５】
ＵＲＬ取得プログラム２３０は、特徴点抽出手段である特徴点抽出部２３１、局面特定手段である局面特定部２３２、ＵＲＬ取得手段であるＵＲＬ取得部２３３、ＵＲＬ送出部２３４等を備える。
【００５６】
特徴点抽出部２３１は、端末装置１００から送出された画像データから局面を特定するための特徴点を抽出する。図９は同端末装置での画像の特徴点抽出処理を示すものであり、（ａ）はキャプチャーされた画像データ、（ｂ）は参照される画像データを示す図である。特徴点抽出部２３１は、図９（ａ）に示すようにキャプチャーされた画像データ４６０中の屈曲点、変曲点、画像明度の変化点等を特定しその座標を取得する。
【００５７】
局面特定部２３２は、特徴点抽出部２３１で抽出された特徴点と、端末装置１００からのゲーム名に基づいてゲームとゲーム中の局面を特定する。局面特定部２３２は、特徴点抽出部２３１で抽出した特徴点の座標に基づいてデータベース２６０を参照して、ゲームの局面を特定する。局面の特定は、図９に示すように、キャプチャーされた画像データ４６０の特徴点の座標を予め取得しデータベース２６０に格納しておいた各局面における画像データ４７０の特徴点の座標と比較して、その近似度を算出することにより行う。予め取得しておいた多数の局面の画像と、端末装置１００からの画像とを、変化点の近似度で評価し、近似度が高い局面を、端末装置１００において画像データが取得された局面であるとする。なお、特徴点の抽出、局面の特定は、オープンソースのプログラムであるＯｐｅｎＣＶ（  Ｏｐｅｎ  Ｓｏｕｒｃｅ  Ｃｏｍｐｕｔｅｒ  Ｖｉｓｉｏｎ  Ｌｉｂｒａｒｙ）で行うことができる。
【００５８】
ＵＲＬ取得部２３３は、データベース２６０を特定された局面で参照して、ゲーム攻略サイト３２０の特定された局面の攻略法を掲載したページのＵＲＬを取得する。そして、ＵＲＬ送出部２３４は、取得したＵＲＬを、送受信部２４０を介して端末装置１００に送出する。
【００５９】
送受信部２４０は、サーバー装置２００をネットワーク２０に接続して、サーバー装置２００を端末装置１００に接続する。
【００６０】
次に本実施形態に係るウェブサイト検索表示システム１０の処理について説明する。図４は同ウェブサイト検索表示システムの処理の過程を示すものであり、（ａ）は準備処理を示すフローチャート、（ｂ）は攻略サイトの閲覧処理を示すフローチャート、図５は同ウェブサイト検索表示システムの処理を示す模式図である。
【００６１】
まず、ウェブサイト検索表示システム１０を実行するに際して以下の準備を行う。図４（ａ）に示すように、まず、端末装置１００の使用者であるユーザは、端末装置１００をゲームアプリケーション供給サイト３１０にアクセスしてゲームアプリケーションを入手する（ステップＳＡ１）。ゲームアプリケーション供給サイト３１０には、ゲームアプリケーション開発会社３３０からゲームアプリケーションが提供されている。ゲームアプリケーションが有料であれば、ユーザは、ゲームアプリケーション開発会社３３０から課金され、支払いがなされる（ステップＳＡ２）。
【００６２】
そして、端末装置１００のユーザは、端末装置１００をゲームアプリケーション供給サイト３１０にアクセスしてゲーム攻略サイト閲覧アプリケーションを入手し（ステップＳＡ３）、課金処理がなされる（ステップＳＡ４）。
【００６３】
ここで、図５に示すように、サーバー装置２００の設置者は、ゲーム攻略サイト３２０の設置者とコンサルタント契約を結んでおり、これにより収入を得る。また、ゲーム攻略サイト３２０の設置者は、ゲーム攻略画面に広告を表示することにより、広告主３４０から収入を得る。
【００６４】
また、サーバー装置２００の設置者は、複数のゲームについてそれぞれゲーム攻略サイト閲覧アプリケーションを提供することができる。図６は同端末装置におけるゲーム攻略サイト閲覧アプリケーション購入画面を示す模式図である。この例では、端末装置１００において、ゲームＡと、ゲームＢについてそれぞれゲーム攻略サイト閲覧アプリケーションを購入することができ、既にゲームＡについてゲーム攻略サイト閲覧アプリケーションを購入した状態を示している。この場合、それぞれのゲームについてゲーム攻略サイトが存在し、サーバー設置者はそれぞれのゲーム攻略サイト設置者とコンサルタント契約を結んでいる。
【００６５】
次にゲームのプレイ中にゲーム攻略サイトの特定ページを閲覧する場合の処理について説明する。図７は本発明の実施形態に係る端末装置におけるゲーム攻略サイトキャプチャーボタンを表示したゲーム画面を示す模式図、図８は同端末装置においてゲーム中にゲーム攻略サイトを表示した状態を示す模式図である。
【００６６】
図４（ｂ）に示すように、ユーザはゲームのプレイを開始し、プレイを行う（ステップＳＢ１、ステップＳＢ２）。これにより、図６に示すように、端末装置１００にはゲーム画面４２０が表示される他、キャプチャー指示部１３２によりゲーム画面４２０に重ねてキャプチャー指示ボタン４３０が表示されている。ユーザは、プレイ中のある局面で、ユーザだけでは解決できないとする場合、ゲーム攻略サイト３２０にアクセスして攻略情報を取得する。
【００６７】
このため、ユーザはキャプチャー指示ボタン４３０をタップし、キャプチャー部１３１にゲーム画面４２０をキャプチャーするよう指示する（ステップＳＢ３）。すると、キャプチャー部１３１は、ゲーム画面４２０をキャプチャーして画像データを取得する（ステップＳＢ４）。そして、この画像データは画像データ送信部１３３により、ゲーム名と共に送受信部１５０からネットワーク２０を介してサーバー装置２００に送信される（ステップＳＢ５）。
【００６８】
サーバー装置２００では、送受信部２４０によりこの画像データを受け取り、特徴点抽出部２３１で画像データの特徴点を抽出する（ステップＳＢ６）。次いでサーバー装置２００は、局面特定部２３２がデータベース２６０を参照して、端末装置１００が画像データをキャプチャーした局面を特定する（ステップＳＢ７）。
【００６９】
なお、局面の数は、ゲームによって異なるが、ゲームの「キャラクター数＋モンスター数＋ダンジョン数」が目安となり、３０００程度となる場合がある。
【００７０】
次いで、ＵＲＬ取得部２３３は、データベース２６０を参照して（ステップＳＢ８）、特定した局面に相当するゲーム攻略サイト３２０のページのＵＲＬを取得する（ステップＳＢ９）。そして、ＵＲＬ送出部２３４は、このページを指定するＵＲＬを端末装置１００に送出する（ステップＳＢ１０）。このＵＲＬは送受信部２４０からネットワーク２０を経て、端末装置１００の送受信部１５０からＵＲＬ取得部２３３で取得される（ステップＳＢ１１）。
【００７１】
すると、端末装置１００は、ウェブビューアー１３５により取得したＵＲＬに基づいてゲーム攻略サイト３２０の特定ページにアクセスして（ステップＳＢ１２）、当該ページを閲覧して表示パネル１４１に表示する（ステップＳＢ１３）。
【００７２】
端末装置１００では、図８に示すように、ゲーム画面４２０に重畳して表示した表示枠４４０内に取得したゲーム攻略サイトの該当ページ４５０を表示する。ユーザは、この該当ページ４５０により、局面の攻略法を知得することができる（ステップＳＢ１４）。そして、ゲームに戻る場合（ステップＳＢ１５のＹｅｓ）、端末装置１００の戻るボタンや、表示枠４４０に表示され閉じるボタンにタッチして、ゲームを続行する（ステップＳＢ１６）。そして、ゲームを終了するまで、これらの処理を続ける（ステップＳＢ１７）。
【００７３】
以上のように、本実施形態係るウェブサイト検索表示システムによれば、端末装置に表示されているゲームの局面に適合したインターネット上のゲーム攻略サイトのページについてのＵＲＬを自動的に取得して、端末装置の表示手段に表示できる。これは、所望の局面でキャプチャー指示手段によりキャプチャーした画像に基づいて局面に対応するページを表示するので、ゲーム攻略サイトの表示処理を実行中であってもゲームは終了することなく動作しているため、ゲームが中断することがない。
【００７４】
また、端末装置は、サーバー装置と通信を行い、サーバー装置が備える特徴点抽出手段、局面特定手段、データ格納手段、及びＵＲＬ取得手段により、アプリケーションの局面に対応するページのＵＲＬを取得し、ＵＲＬの閲覧データを表示できる。よって、端末装置が備えるべき機能を増大させる必要がなく、端末装置の構成を簡略なものとできる。
【００７５】
なお、本発明に係るウェブサイト検索表示システムは、サーバー装置２００に特徴点抽出手段、局面特定手段、ＵＲＬ取得手段、データ格納手段を配置したが、これらのうち幾つかを端末装置１００に配置することができる。
【００７６】
例えば、データ格納手段だけをサーバー装置に配置し、その他の手段を端末装置１００に配置することができる。この場合、端末装置は、キャプチャー手段、特典抽出手段、局面特定手段、ＵＲＬ取得手段を備え、サーバー装置に配置されたデータ格納手段とデータのやりとりをして特定ページのＵＲＬを取得する。このウェブサイト検索表示システムによれば、サーバー装置には、データ格納手段だけを備えれば足り、サーバー装置の構成を複雑にする必要がなく、サーバー装置の構成を簡略なものとできる。
【００７７】
また、ウェブサイト検索表示方法として、サーバー装置を使用しないで、端末装置が特徴点抽出手段、局面特定手段、データ格納手段、ＵＲＬ取得手段を備えるものとできる、この例によれば、端末装置だけでウェブサイト検索表示システムを構成できる。
【産業上の利用可能性】
【００７８】
本発明に係るウェブサイト検索表示システム、ウェブサイト検索表示方法、端末装置、サーバー装置、及びプログラムによれば、端末装置でアプリケーションを実行している途中に、当該アプリケーションに適合するサイトの当該アプリケーションの局面に適合するページを、アプリケーションを中断することなく直ちに閲覧できるので、端末装置でゲームを実行する場合の他、端末装置で他のアプリケーションを実行中に参考となるウェブページを参照でき、産業上の利用可能性がある。
【符号の説明】
【００７９】
１０：ウェブサイト検索表示システム
２０：ネットワーク
１００：端末装置
１１０：制御部
１２０：記憶部
１２２：ゲームアプリケーション
１２３：アプリケーション
１３０：ゲーム攻略サイト閲覧アプリケーション
１３１：キャプチャー部
１３２：キャプチャー指示部
１３３：画像データ送信部
１３４：ＵＲＬ受信部
１３５：ウェブビューアー
１４０：入出力部
１４１：表示パネル
１４２：タッチパネル
１４３：スイッチ
１４４：スピーカー
１４５：マイク
１４６：デジタルカメラ
１５０：送受信部
２００：サーバー装置
２１０：制御部
２２０：記憶部
２３０：ＵＲＬ取得プログラム
２３１：特徴点抽出部
２３２：局面特定部
２３３：ＵＲＬ取得部
２３４：ＵＲＬ送出部
２４０：送受信部
２６０：データベース
３１０：ゲームアプリケーション供給サイト
３２０：ゲーム攻略サイト
３３０：ゲームアプリケーション開発会社
３４０：広告主
４２０：ゲーム画面
４３０：キャプチャー指示ボタン
４４０：表示枠
４５０：該当ページ
４６０：画像データ
４７０：画像データ
【図１】
2018037029.tif 000003
【図２】
2018037029.tif 000004
【図３】
2018037029.tif 000005
【図４】
2018037029.tif 000006
【図５】
2018037029.tif 000007
【図６】
2018037029.tif 000008
【図７】
2018037029.tif 000009
【図８】
2018037029.tif 000010
【図９】
2018037029.tif 000011